【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと、
前記フレームが前記ジョイント送信に対応すると決定することと、前記ＵＥがユニキャストモードにあることとに応答して、前記フレームの残りについて、前記ＵＥをスリープモードにトリガすることと、ここにおいて、前記ＵＥは、次のフレームが受信されるまで、前記スリープモードのままである、
を備える、通信の方法。
【請求項２】
前記プリアンブルのスクランブリングを識別することをさらに備え、ここにおいて、前記フレームが前記ユニキャスト送信に対応するのか前記ジョイント送信に対応するのかを決定することは、前記プリアンブルの前記スクランブリングに基づく、請求項１に記載の方法。
【請求項３】
前記フレームが前記ユニキャスト送信に対応するのか前記ジョイント送信に対応するのかを決定することは、前記プリアンブルがセル識別子によってスクランブルされたことを識別することに応答して、前記フレームが前記ユニキャスト送信に対応すると決定することを備える、請求項２に記載の方法。
【請求項４】
前記フレームが前記ユニキャスト送信に対応するのか前記ジョイント送信に対応するのかを決定することは、前記プリアンブルが仮想セル識別子によってスクランブルされたことを識別することに応答して、前記フレームが多地点協調（ＣｏＭＰ）送信に関連するジョイント送信に対応すると決定することを備える、請求項２に記載の方法。
【請求項５】
前記フレームが前記ユニキャスト送信に対応するのか前記ジョイント送信に対応するのかを決定することは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定することを備える、請求項２に記載の方法。
【請求項６】
セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別することをさらに備える、請求項２に記載の方法。
【請求項７】
前記プリアンブルが、チャネル使用ビーコン信号（ＣＵＢＳ）またはセル固有基準信号（ＣＲＳ）を備える、請求項１に記載の方法。
【請求項８】
前記プリアンブルが、物理フレームフォーマットインジケータチャネル（ＰＦＦＩＣＨ）、または現在のフレームフォーマットを示す共通ＰＤＣＣＨをさらに備える、請求項７に記載の方法。
【請求項９】
スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施することをさらに備える、請求項８に記載の方法。
【請求項１０】
前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施することをさらに備える、請求項９に記載の方法。
【請求項１１】
前記競合ベース媒体が、無認可または共有スペクトルに関連する、請求項１に記載の方法。
【請求項１２】
命令を記憶するように構成されたメモリと、
前記メモリに通信可能に結合された１つまたは複数のプロセッサとを備え、ここにおいて、前記１つまたは複数のプロセッサは、
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと、
前記フレームが前記ジョイント送信に対応すると決定することと、前記ＵＥがユニキャストモードにあることとに応答して、前記フレームの残りについて、前記ＵＥをスリープモードにトリガすることと、ここにおいて、前記ＵＥは、次のフレームが受信されるまで、前記スリープモードのままである、
を行うために前記命令を実行するように構成された、ワイヤレス通信のための装置。
【請求項１３】
前記１つまたは複数のプロセッサが、前記プリアンブルのスクランブリングを識別するようにさらに構成され、ここにおいて、前記１つまたは複数のプロセッサは、前記プリアンブルの前記スクランブリングに基づいて、前記フレームが前記ユニキャスト送信に対応するのか前記ジョイント送信に対応するのかを決定するように構成された、請求項１２に記載の装置。
【請求項１４】
前記フレームが前記ユニキャスト送信に対応するのか前記ジョイント送信に対応するのかを決定するように構成された前記１つまたは複数のプロセッサは、前記プリアンブルがセル識別子によってスクランブルされたことを識別することに応答して、前記フレームが前記ユニキャスト送信に対応すると決定するようにさらに構成された、請求項１３に記載の装置。
【請求項１５】
前記フレームが前記ユニキャスト送信に対応するのか前記ジョイント送信に対応するのかを決定するように構成された前記１つまたは複数のプロセッサは、前記プリアンブルが仮想セル識別子によってスクランブルされたことを識別することに応答して、前記フレームが多地点協調（ＣｏＭＰ）送信に関連するジョイント送信に対応すると決定するようにさらに構成された、請求項１３に記載の装置。
【請求項１６】
前記フレームが前記ユニキャスト送信に対応するのか前記ジョイント送信に対応するのかを決定するように構成された前記１つまたは複数のプロセッサは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定するようにさらに構成された、請求項１３に記載の装置。
【請求項１７】
前記１つまたは複数のプロセッサが、セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別するようにさらに構成された、請求項１３に記載の装置。
【請求項１８】
前記プリアンブルが、チャネル使用ビーコン信号（ＣＵＢＳ）またはセル固有基準信号（ＣＲＳ）を備える、請求項１２に記載の装置。
【請求項１９】
前記プリアンブルが、物理フレームフォーマットインジケータチャネル（ＰＦＦＩＣＨ）、または現在のフレームフォーマットを示す共通ＰＤＣＣＨをさらに備える、請求項１８に記載の装置。
【請求項２０】
前記１つまたは複数のプロセッサは、スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施するようにさらに構成され、ここにおいて、前記１つまたは複数のプロセッサが、前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施するようにさらに構成された、請求項１９に記載の装置。
【請求項２１】
トランシーバをさらに備え、ここにおいて、前記ＵＥにおいて、前記競合ベース媒体上で前記１つまたは複数のネットワークエンティティから前記フレームを前記受信、請求項１２に記載の装置。
【請求項２２】
前記競合ベース媒体が、無認可または共有スペクトルに関連する、請求項１２に記載の装置。
【請求項２３】
ユーザ機器（ＵＥ）において、競合ベース媒体上で１つまたは複数のネットワークエンティティからフレームを受信するための手段と、ここにおいて、前記フレームがプリアンブルを含む、
前記プリアンブルに基づいて、前記フレームがユニキャスト送信に対応するのかジョイント送信に対応するのかを決定するための手段と、
前記フレームが前記ジョイント送信に対応すると決定することと、前記ＵＥがユニキャストモードにあることとに応答して、前記フレームの残りについて、前記ＵＥをスリープモードにトリガするための手段と、ここにおいて、前記ＵＥは、次のフレームが受信されるまで、前記スリープモードのままである、
を備える、通信のための装置。
【請求項２４】
前記プリアンブルのスクランブリングを識別するための手段をさらに備え、ここにおいて、前記フレームが前記ユニキャスト送信に対応するのか前記ジョイント送信に対応するのかを決定するための前記手段は、前記プリアンブルの前記スクランブリングに基づく、請求項２３に記載の装置。
【請求項２５】
ユーザ機器（ＵＥ）において、競合ベース媒体上で１つまたは複数のネットワークエンティティからフレームを受信するためのコードと、ここにおいて、前記フレームがプリアンブルを含む、
前記プリアンブルに基づいて、前記フレームがユニキャスト送信に対応するのかジョイント送信に対応するのかを決定するためのコードと、
前記フレームが前記ジョイント送信に対応すると決定することと、前記ＵＥがユニキャストモードにあることとに応答して、前記フレームの残りについて、前記ＵＥをスリープモードにトリガするためのコードと、ここにおいて、前記ＵＥは、次のフレームが受信されるまで、前記スリープモードのままである、
を備える、通信のためのコンピュータ実行可能コードを記憶する非一時的コンピュータ可読媒体。
【請求項２６】
前記プリアンブルのスクランブリングを識別するためのコードをさらに備え、ここにおいて、前記フレームが前記ユニキャスト送信に対応するのか前記ジョイント送信に対応するのかを決定するための前記コードは、前記プリアンブルの前記スクランブリングに基づく、請求項２５に記載の非一時的コンピュータ可読媒体。
【手続補正２】
【補正対象書類名】明細書
【補正対象項目名】００８５
【補正方法】変更
【補正の内容】
【００８５】
[0096]上記の開示は、例示的な態様を示すが、様々な変更および修正が、添付の特許請求の範囲によって定義される本開示の範囲から逸脱することなく本明細書において作成可能であることに留意されたい。本明細書で説明された本開示の態様による方法クレームの機能、ステップおよび／またはアクションは、特定の順序で実施されなくてもよい。さらに、いくつかの態様は、単数形で説明または請求されていることがあるが、単数形に限定することが明示的に述べられていない限り、複数形が企図される。
以下に本願発明の当初の特許請求の範囲に記載された発明を付記する。
［Ｃ１］
ユーザ機器（ＵＥ）において、競合ベース媒体上で１つまたは複数のネットワークエンティティからフレームを受信することと、ここにおいて、前記フレームがプリアンブルを含む、
前記プリアンブルに基づいて、前記フレームがユニキャスト送信に対応するのかジョイント送信に対応するのかを決定することと
を備える、通信の方法。
［Ｃ２］
前記プリアンブルのスクランブリングを識別することをさらに備え、ここにおいて、前記フレームが前記ユニキャスト送信に対応するのか前記ジョイント送信に対応するのかを決定することは、前記プリアンブルの前記スクランブリングに基づく、Ｃ１に記載の方法。
［Ｃ３］
前記フレームが前記ユニキャスト送信に対応するのか前記ジョイント送信に対応するのかを決定することは、前記プリアンブルがセル識別子によってスクランブルされたことを識別することに応答して、前記フレームが前記ユニキャスト送信に対応すると決定することを備える、Ｃ２に記載の方法。
［Ｃ４］
前記フレームが前記ユニキャスト送信に対応するのか前記ジョイント送信に対応するのかを決定することは、前記プリアンブルが仮想セル識別子によってスクランブルされたことを識別することに応答して、前記フレームが多地点協調（ＣｏＭＰ）送信に関連するジョイント送信に対応すると決定することを備える、Ｃ２に記載の方法。
［Ｃ５］
前記フレームが前記ユニキャスト送信に対応するのか前記ジョイント送信に対応するのかを決定することは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定することを備える、Ｃ２に記載の方法。
［Ｃ６］
セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別することをさらに備える、Ｃ２に記載の方法。
［Ｃ７］
前記フレームが前記ジョイント送信に対応すると決定することと、前記ＵＥがユニキャストモードにあることとに応答して、前記フレームの残りについて、前記ＵＥをスリープモードにトリガすることをさらに備え、ここにおいて、前記ＵＥは、次のフレームが受信されるまで、前記スリープモードのままである、Ｃ１に記載の方法。
［Ｃ８］
前記プリアンブルが、チャネル使用ビーコン信号（ＣＵＢＳ）またはセル固有基準信号（ＣＲＳ）を備える、Ｃ１に記載の方法。
［Ｃ９］
前記プリアンブルが、物理フレームフォーマットインジケータチャネル（ＰＦＦＩＣＨ）、または現在のフレームフォーマットを示す共通ＰＤＣＣＨをさらに備える、Ｃ８に記載の方法。
［Ｃ１０］
スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施することをさらに備える、Ｃ９に記載の方法。
［Ｃ１１］
前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施することをさらに備える、Ｃ１０に記載の方法。
［Ｃ１２］
前記競合ベース媒体が、無認可または共有スペクトルに関連する、Ｃ１に記載の方法。
［Ｃ１３］
命令を記憶するように構成されたメモリと、
前記メモリに通信可能に結合された１つまたは複数のプロセッサとを備え、ここにおいて、前記１つまたは複数のプロセッサは、
ユーザ機器（ＵＥ）において、競合ベース媒体上で１つまたは複数のネットワークエンティティからフレームを受信すること、ここにおいて、前記フレームがプリアンブルを含む、
前記プリアンブルに基づいて、前記フレームがユニキャスト送信に対応するのかジョイント送信に対応するのかを決定すること
を行うために前記命令を実行するように構成された、ワイヤレス通信のための装置。
［Ｃ１４］
前記１つまたは複数のプロセッサが、前記プリアンブルのスクランブリングを識別するようにさらに構成され、ここにおいて、前記１つまたは複数のプロセッサは、前記プリアンブルの前記スクランブリングに基づいて、前記フレームが前記ユニキャスト送信に対応するのか前記ジョイント送信に対応するのかを決定するように構成された、Ｃ１３に記載の装置。
［Ｃ１５］
前記フレームが前記ユニキャスト送信に対応するのか前記ジョイント送信に対応するのかを決定するように構成された前記１つまたは複数のプロセッサは、前記プリアンブルがセル識別子によってスクランブルされたことを識別することに応答して、前記フレームが前記ユニキャスト送信に対応すると決定するようにさらに構成された、Ｃ１４に記載の装置。
［Ｃ１６］
前記フレームが前記ユニキャスト送信に対応するのか前記ジョイント送信に対応するのかを決定するように構成された前記１つまたは複数のプロセッサは、前記プリアンブルが仮想セル識別子によってスクランブルされたことを識別することに応答して、前記フレームが多地点協調（ＣｏＭＰ）送信に関連するジョイント送信に対応すると決定するようにさらに構成された、Ｃ１４に記載の装置。
［Ｃ１７］
前記フレームが前記ユニキャスト送信に対応するのか前記ジョイント送信に対応するのかを決定するように構成された前記１つまたは複数のプロセッサは、前記プリアンブルがマルチキャストブロードキャスト単一周波数ネットワーク（ＭＢＳＦＮ）エリア識別子によってスクランブルされたことを識別することに応答して、前記フレームがＭＢＳＦＮ送信に関連するジョイント送信に対応すると決定するようにさらに構成された、Ｃ１４に記載の装置。
［Ｃ１８］
前記１つまたは複数のプロセッサが、セル識別子、仮想セル識別子およびマルチキャストブロードキャスト単一周波数ネットワーク（ＭＢＳＦＮ）エリア識別子のうちの少なくとも１つまたは複数に基づいて、前記プリアンブルのトーンロケーションを識別するようにさらに構成された、Ｃ１４に記載の装置。
［Ｃ１９］
前記１つまたは複数のプロセッサは、前記フレームが前記ジョイント送信に対応すると決定することと、前記ＵＥがユニキャストモードにあることとに応答して、前記フレームの残りについて、前記ＵＥをスリープモードにトリガするようにさらに構成され、ここにおいて、前記ＵＥは、次のフレームが受信されるまで、前記スリープモードのままである、Ｃ１３に記載の装置。
［Ｃ２０］
前記プリアンブルが、チャネル使用ビーコン信号（ＣＵＢＳ）またはセル固有基準信号（ＣＲＳ）を備える、Ｃ１３に記載の装置。
［Ｃ２１］
前記プリアンブルが、物理フレームフォーマットインジケータチャネル（ＰＦＦＩＣＨ）、または現在のフレームフォーマットを示す共通ＰＤＣＣＨをさらに備える、Ｃ２０に記載の装置。
［Ｃ２２］
前記１つまたは複数のプロセッサは、スケジューリングフレームが前記ジョイント送信に対応することを識別することに応答して、仮想セル識別子とマルチキャストブロードキャスト単一周波数ネットワーク（ＭＢＳＦＮ）エリア識別子とを使用して、前記ＰＦＦＩＣＨまたは前記現在のフレームフォーマットを示す共通ＰＤＣＣＨのトーンマッピングを実施するようにさらに構成され、ここにおいて、前記１つまたは複数のプロセッサが、前記ジョイント送信に参加している前記１つまたは複数のネットワークエンティティにわたって、前記ＰＦＦＩＣＨまたは前記現在のフレームフォーマットを示す共通ＰＤＣＣＨの前記ジョイント送信を実施するようにさらに構成された、Ｃ２１に記載の装置。
［Ｃ２３］
トランシーバをさらに備え、ここにおいて、前記ＵＥにおいて、前記競合ベース媒体上で前記１つまたは複数のネットワークエンティティから前記フレームを前記受信、Ｃ１３に記載の装置。
［Ｃ２４］
前記競合ベース媒体が、無認可または共有スペクトルに関連する、Ｃ１３に記載の装置。
［Ｃ２５］
ユーザ機器（ＵＥ）において、競合ベース媒体上で１つまたは複数のネットワークエンティティからフレームを受信するための手段と、ここにおいて、前記フレームがプリアンブルを含む、
前記プリアンブルに基づいて、前記フレームがユニキャスト送信に対応するのかジョイント送信に対応するのかを決定するための手段と
を備える、通信のための装置。
［Ｃ２６］
前記プリアンブルのスクランブリングを識別するための手段をさらに備え、ここにおいて、前記フレームが前記ユニキャスト送信に対応するのか前記ジョイント送信に対応するのかを決定するための前記手段は、前記プリアンブルの前記スクランブリングに基づく、Ｃ２５に記載の装置。
［Ｃ２７］
前記フレームが前記ジョイント送信に対応すると決定することと、前記ＵＥがユニキャストモードにあることとに応答して、前記フレームの残りについて、前記ＵＥをスリープモードにトリガするための手段をさらに備え、ここにおいて、前記ＵＥは、次のフレームが受信されるまで、前記スリープモードのままである、Ｃ２５に記載の装置。
［Ｃ２８］
ユーザ機器（ＵＥ）において、競合ベース媒体上で１つまたは複数のネットワークエンティティからフレームを受信するためのコードと、ここにおいて、前記フレームがプリアンブルを含む、
前記プリアンブルに基づいて、前記フレームがユニキャスト送信に対応するのかジョイント送信に対応するのかを決定するためのコードと
を備える、通信のためのコンピュータ実行可能コードを記憶するコンピュータ可読媒体。
［Ｃ２９］
前記プリアンブルのスクランブリングを識別するためのコードをさらに備え、ここにおいて、前記フレームが前記ユニキャスト送信に対応するのか前記ジョイント送信に対応するのかを決定するための前記コードは、前記プリアンブルの前記スクランブリングに基づく、Ｃ２８に記載のコンピュータ可読媒体。
［Ｃ３０］
前記フレームが前記ジョイント送信に対応すると決定することと、前記ＵＥがユニキャストモードにあることとに応答して、前記フレームの残りについて、前記ＵＥをスリープモードにトリガするためのコードをさらに備え、ここにおいて、前記ＵＥは、次のフレームが受信されるまで、前記スリープモードのままである、Ｃ２８に記載のコンピュータ可読媒体。